【手続補正書】
【提出日】平成17年2月14日(2005.2.14)
【手続補正１】
【補正対象書類名】明細書
【補正対象項目名】特許請求の範囲
【補正方法】変更
【補正の内容】
【特許請求の範囲】
【請求項１】
安定低周波基準信号を生成する基準信号源（４２）と、
トランシーバ駆動信号を生成するトランシーバ発振器（３２）と、
受信した被変調信号を前記トランシーバ駆動信号の高調波と混合して、中間周波受信信号を生成する受信ミクサ（３０）と、
中間送信発振器信号を生成する中間送信発振器（３８）であって、前記安定低周波基準信号に位相ロックされる、中間送信発振器と、
送信被変調信号を前記中間送信発振器信号の高調波と混合して、中間送信信号を生成する中間送信ミクサ（３４）と、
前記中間送信信号を前記トランシーバ駆動信号の高調波と混合して、出力送信信号を生成する最終段送信ミクサ（４０）と、
前記トランシーバ駆動信号を前記中間送信発振器信号の高調波と混合して、中間位相検出信号を生成するトランシーバ駆動ミクサ（４４）と、
前記中間位相検出信号を前記安定低周波基準信号に位相ロックするための手段（４８）
とを備える、ＬＭＤＳトランシーバ。
【請求項２】
前記中間位相検出信号を前記安定低周波基準信号に位相ロックするための前記手段は、
前記中間位相検出信号と前記安定低周波基準信号との間の位相差に比例する誤差信号を生成する位相検出器と、
前記トランシーバ発振器を同調させて、前記誤差信号を最小化するための手段
とを含むことからなる、請求項１に記載のＬＭＤＳトランシーバ。
【請求項３】
前記基準信号源は、前記中間周波受信信号から二重パイロット・トーンを回復させるための手段を含み、
前記二重パイロット・トーン間の周波数差が、前記安定低周波基準信号の周波数を決定することからなる、請求項１に記載のＬＭＤＳトランシーバ。
【請求項４】
安定低周波基準信号を生成する基準信号源（４２）と、
中間送信発振器信号を生成する中間送信発振器であって、前記安定低周波基準信号に位相ロックされる、中間送信発振器（３８）と、
トランシーバ発振器信号を生成するトランシーバ発振器（３２）と、
前記トランシーバ発振器信号を前記中間送信発振器信号の高調波と混合して、トランシーバ駆動信号と中間位相検出信号とを生成するトランシーバ駆動ミクサ（４４）と、
送信被変調信号を前記中間送信発振器信号の高調波と混合して、中間送信信号を生成する中間送信ミクサ（３４）と、
前記中間送信信号を前記トランシーバ駆動信号の高調波と混合して、出力送信信号を生成する最終段送信ミクサ（４０）と、
受信信号を前記トランシーバ駆動信号の高調波と混合して、中間周波受信信号を生成する受信ミクサ（３０）と、
前記中間位相検出信号を前記安定低周波基準信号源に位相ロックするための手段（４８）
とを備える、ＬＭＤＳトランシーバ。
【請求項５】
前記中間位相検出信号を前記安定低周波基準信号に位相ロックするための前記手段は、
前記中間位相検出信号と前記安定低周波基準信号との間の位相差に比例する誤差信号を生成する位相検出器と、
前記トランシーバ発振器を同調させて、前記誤差信号を最小化するための手段
とを含むことからなる、請求項４に記載のＬＭＤＳトランシーバ。
【請求項６】
前記基準信号源は、前記中間周波受信信号から二重パイロット・トーンを回復させるための手段を含み、
前記二重パイロット・トーン間の周波数差が、前記安定低周波基準信号の周波数を決定することからなる、請求項４に記載のＬＭＤＳトランシーバ。
【請求項７】
安定低周波基準信号を生成する基準信号源（４２）と、
第１の中間送信発振器信号を生成する中間送信発振器（３８）であって、前記安定低周波基準信号に位相ロックされる、中間送信発振器と、
第２の中間送信発振器信号を生成する中間周波数発振器（５６）であって、前記安定低周波基準信号に位相ロックされる、中間周波数発振器と、
前記第１の中間送信発振器信号の高調波を、前記第２の中間送信発振器信号の高調波と混合して、トランシーバ駆動信号を生成するトランシーバ駆動ミクサ（４４） と、
送信被変調信号を、前記第１の中間送信発振器信号の高調波と混合して、中間送信信号を生成する中間送信ミクサ（３４）と、
前記中間送信信号を前記トランシーバ駆動信号の高調波と混合して、出力送信信号を生成する最終段送信ミクサ（４０）と、
受信信号を前記トランシーバ駆動信号の高調波と混合して、中間周波受信信号を生成する受信ミクサ（３０）
とを備える、ＬＭＤＳトランシーバ。
【請求項８】
前記基準信号源は、前記中間周波受信信号から二重パイロット・トーンを回復させるための手段を含み、
前記二重パイロット・トーン間の周波数差が、前記安定低周波基準信号の周波数を決定することからなる、請求項７に記載のＬＭＤＳトランシーバ。
【請求項９】
ＬＭＤＳシステムであって、
ベース・ステーション送信器（２）であって、
被変調信号を生成するための手段と、
第１の基準信号を生成する第１の基準発振器と、
二重パイロット・トーンを前記被変調信号上に結合させるための手段
とを含む、ベース・ステーション送信器と、
加入者ユニット（４）であって、
局部発振器信号を生成する局部発振器（６８）と、
前記局部発振器信号を前記被変調信号と混合して、中間周波数被変調信号を生成する手段
とを含む、加入者ユニットと、
前記中間周波数被変調信号をフィルタリングして、中間基準信号を生成するための基準フィルタ（７０）と、
前記二重パイロット・トーン間の周波数差を検出することによって、第２の基準信号を生成するための手段と、
前記中間基準信号内のパイロット・トーンのうちの１つと、前記第２の基準信号との間の位相差に比例する誤差信号を生成するための手段と、
前記局部発振器の周波数を同調させて、前記誤差信号を最小化するための手段
とを備え、
前記二重パイロット・トーンは、それぞれ前記第１の基準信号に位相ロックされており、
前記二重パイロット・トーン間の周波数差は、前記第１の基準信号の周波数の倍数であり、
前記中間基準信号は、前記二重パイロット・トーンを含むことからなる、ＬＭＤＳシステム。
【手続補正２】
【補正対象書類名】明細書
【補正対象項目名】０００４
【補正方法】変更
【補正の内容】
【０００４】
図１には、ベース・ステーション・トランシーバ２と加入者ユニット・トランシーバ４が示されている。一般に、ベース・ステーション２には、第１のベース・ミクサ８の第１の入力にベース局部発振器信号を供給するベース局部発振器６が含まれている。被変調送信信号は、第１のベース・ミクサ８の第２の入力に結合される。第１のベース・ミクサ８は、被変調送信信号とベース局部発振器信号を混合して、被変調送信信号の周波数をアップコンバート（upconvert）する。周波数をアップコンバートされた被変調信号は、第１のベース・アンテナ１０を介して加入者ユニットに伝送される。加入者ユニット４は、第１の加入者アンテナ１２を介してベース・ステーション２から被変調信号を受信する。加入者ユニットには、受信した被変調信号の周波数をダウンコンバート（downconvert）するため、第１の加入者ミクサ１６に結合された加入者局部発振器１４が含まれている。周波数をダウンコンバートされたこの被変調信号が復調できるようになる。
【手続補正３】
【補正対象書類名】明細書
【補正対象項目名】０００８
【補正方法】変更
【補正の内容】
【０００８】
受信及び送信信号の完全性は、局部発振器信号の周波数不安定性及び位相ノイズによって影響を受ける可能性がある。被変調信号のアップコンバート及びダウンコンバートによって、局部発振器信号のノイズ及び周波数不安定性が被変調信号に影響を与える。最適な性能にとっては、局部発振器信号のノイズ及び周波数不安定性の影響を最小限に抑えなければならない。一般に、局部発振器信号を発生する発振器は、誘電体共振発振器（ＤＲＯ：Dielectric Resonance Oscillator）である。